(57)【特許請求の範囲】
【請求項１】
計測対象としている機器で消費される電力を計測する電力計測手段と、
計測対象となる物理量を直流電圧または直流電流に変換するトランスデューサからの前記直流電圧または直流電流の値を用いて所定の演算を行う演算手段と、
前記機器の電源ライン及びその他の電源ラインの幹線に接続された電力量計から出力されるパルスを検出し計数演算することで電力量を算出するパルス演算手段とを備え、
前記電力計測手段の計測結果と前記パルス演算手段の演算結果から前記機器の消費電力の割合を計測監視している計測装置。
【請求項２】
ポンプで消費される電力を計測する電力計測手段と、
ポンプからの流量を直流電圧または直流電流に変換するトランスデューサからの前記直流電圧または直流電流の値を用いて所定の演算を行う演算手段と、
前記ポンプの電源ライン及びその他の電源ラインの幹線に接続された電力量計から出力されるパルスを検出し計数演算することで電力量を算出するパルス演算手段とを備え、
前記電力計測手段の計測結果と前記パルス演算手段の演算結果から前記ポンプの消費電力の割合を計測監視している計測装置。
【請求項３】
コンプレッサで消費される電力を計測する電力計測手段と、
コンプレッサから加えられるエアー圧力または流量を直流電圧または直流電流に変換するトランスデューサからの前記直流電圧または直流電流の値を用いて所定の演算を行う演算手段と、
前記コンプレッサの電源ライン及びその他の電源ラインの幹線に接続された電力量計から出力されるパルスを検出し計数演算することで電力量を算出するパルス演算手段とを備え、
前記電力計測手段の計測結果と前記パルス演算手段の演算結果から前記コンプレッサの消費電力の割合を計測監視している計測装置。
【請求項４】
空調機で消費される電力を計測する電力計測手段と、
空調機の周囲、空調機の内部、室内及び外気の少なくとも一個所の温度を直流電圧または直流電流に変換するトランスデューサからの前記直流電圧または直流電流の値を用いて所定の演算を行う演算手段と、
前記空調機の電源ライン及びその他の電源ラインの幹線に接続された電力量計から出力されるパルスを検出し計数演算することで電力量を算出するパルス演算手段とを備え、
前記電力計測手段の計測結果と前記パルス演算手段の演算結果から前記空調機の消費電力の割合を計測監視している計測装置。
【請求項５】
空調機で消費される電力を計測する電力計測手段と、
空調機の周囲、空調機の内部、室内及び外気の少なくとも一個所の湿度を直流電圧または直流電流に変換するトランスデューサからの前記直流電圧または直流電流の値を用いて所定の演算を行う演算手段と、
前記空調機の電源ライン及びその他の電源ラインの幹線に接続された電力量計から出力されるパルスを検出し計数演算することで電力量を算出するパルス演算手段とを備え、
前記電力計測手段の計測結果と前記パルス演算手段の演算結果から前記空調機の消費電力の割合を計測監視している計測装置。
【請求項６】
空調機で消費される電力を計測する電力計測手段と、
空調機を設置した室内の複数個所の温度を直流電圧または直流電流に変換するトランスデューサからの前記直流電圧または直流電流の値を用いて所定の演算を行う演算手段と、
前記空調機の電源ライン及びその他の電源ラインの幹線に接続された電力量計から出力されるパルスを検出し計数演算することで電力量を算出するパルス演算手段とを備え、
前記電力計測手段の計測結果と前記パルス演算手段の演算結果から前記空調機の消費電力の割合を計測監視している計測装置。
【請求項７】
空調機で消費される電力を計測する電力計測手段と、
空調機を設置した室内の複数個所の湿度を直流電圧または直流電流に変換するトランスデューサからの前記直流電圧または直流電流の値を用いて所定の演算を行う演算手段と、
前記空調機の電源ライン及びその他の電源ラインの幹線に接続された電力量計から出力されるパルスを検出し計数演算することで電力量を算出するパルス演算手段とを備え、
前記電力計測手段の計測結果と前記パルス演算手段の演算結果から前記空調機の消費電力の割合を計測監視している計測装置。
【請求項８】
演算手段における所定の演算が、入力値を乗算または除算する請求項１から７のいずれかに記載の計測装置。
【請求項９】
演算手段における所定の演算が、入力値を換算表によって変換する請求項１から８のいずれかに記載の計測装置。
【請求項１０】
電力計測手段で行う計測と演算手段で行う演算とを前記電力計測手段または演算手段で行う請求項１から９のいずれかに記載の計測装置。
【発明の詳細な説明】
【０００１】
【発明の属する技術分野】
本発明は、測定対象となる物理量を直流出力に変換するトランスデューサの出力および計測対象としている機器で消費される電力を計測する計測装置に関するものである。
【０００２】
【従来の技術】
近年省エネルギーが重要視されているが、省エネルギーを総合的に分析しようとすると、電力のみではなくガス、水道のみならず、例えばエアーにおける圧力と消費電力の関係や、空調における温度および湿度と消費電力の関係等電気以外の物理量と消費電力の関係から使用機器のロスを見つけ出し、使用機器の効率化をはかる対策を行って省エネルギーに役立てるということが重要になってきている。
【０００３】
図３は従来の計測機器を使用した例であり、５１は計測対象機器となるコンプレッサー、５２はコンプレッサー５１の電源ライン、５３は電力計測装置へ計測電圧を入力するための計器用変圧器であるＰＴ、５４は電力計測装置へ計測電流を入力するための計器用変流器であるＣＴ、５５はＰＴ５３からの出力電圧とＣＴ５４からの出力電流とから電力を計測する電力計測手段、５６は電力計測手段５５で計測された電力を通信データとして出力する通信手段、５７はコンプレッサー５１から送出されるエアー配管、５８はエアー配管５７に取り付けられたエアー流量を計測するための流量トランスデューサにおける流量センサー、５９は流量センサー５８の出力をデータ記録機器等で読み取れるようにするためのトランスデューサとして標準的な４〜２０ｍＡ直流電流出力や０〜５Ｖ直流電圧出力等に変換して出力する直流信号変換手段、６０は直流信号変換手段５９からのアナログ直流出力をデジタル信号に変換する通信変換装置におけるデジタル信号変換手段、６１はデジタル信号変換手段６０で変換された流量データを通信データとして出力する通信手段、６２は電力計測装置の通信手段５６と通信変換装置の通信手段６１とで通信を行い計測データの収集、監視、各種データ処理を行う監視装置である。
【０００４】
従来の計測装置は電力計測装置のように単体としては消費電力を計測する電力のみのものであり、その他の物理量を計測しデータとして取り込むには専用の機器を流量トランスデューサのように電力計測とは別に別途設置し、別々にデータ収集するのは後のデータ集計や解析に面倒であるため、通信変換装置を例えば流量トランスデューサに接続して電力計測装置と監視装置６２に接続して通信できるよう通信インターフェース、通信フォーマットおよび通信手順等を合わせ、監視装置６２にて一括して計測データの収集、監視、各種データ処理を行っていた。
【０００５】
【発明が解決しようとする課題】
しかしながら上記従来のものでは、電力計測装置と監視装置６２に接続して通信できるよう通信インターフェース、通信フォーマットおよび通信手順等を合わせるため、流量トランスデューサに接続する通信変換装置が余分に必要となり、例え通信によりデータ収集できたとしても、通信では一般的に電力計測装置や流量トランスデューサに接続された通信変換装置をポーリング方式で順次データ収集するため、通信エラー等も考慮すると特に負荷変動の激しい場合には完全に同時の電力と流量のデータを得ることはできない。さらに、複数のポイントを計測し、通信によりデータ収集する場合には、通信アドレスの問題が発生する。例えば一般的な複数端末間通信インターフェースであるＲＳ−４８５により通信する場合には１ノード３２台のインターフェースしか接続できない。また、その問題が解消できたとしても多数の通信アドレスを管理するのは煩雑であり、一巡の通信が終了するのも時間が若干かかり、施工上も工数が増え、スペースも取るということになる。
【０００６】
本発明は、上記従来の課題に鑑み、標準的な直流出力インターフェースを持ったトランスデューサを電力計測装置に接続して直接出力データを取り込むことにより、各種エネルギー管理に必要な同時性のあるデータを一括管理することの出来る計測装置を提供することを目的とする。
【０００７】
【課題を解決するための手段】
この目的を達成するために本発明の請求項１記載の計測装置は、
計測対象としている機器で消費される電力を計測する電力計測手段と、計測対象となる物理量を直流電圧または直流電流に変換するトランスデューサからの前記直流電圧または直流電流の値を用いて所定の演算を行う演算手段と、前記機器の電源ライン及びその他の電源ラインの幹線に接続された電力量計から出力されるパルスを検出し計数演算することで電力量を算出するパルス演算手段とを備え、前記電力計測手段の計測結果と前記パルス演算手段の演算結果から前記機器の消費電力の割合を計測監視する構成を有している。
【０００８】
また、本発明の請求項２の計測装置は、
ポンプで消費される電力を計測する電力計測手段と、ポンプからの流量を直流電圧または直流電流に変換するトランスデューサからの前記直流電圧または直流電流の値を用いて所定の演算を行う演算手段と、前記ポンプの電源ライン及びその他の電源ラインの幹線に接続された電力量計から出力されるパルスを検出し計数演算することで電力量を算出するパルス演算手段とを備え、前記電力計測手段の計測結果と前記パルス演算手段の演算結果から前記ポンプの消費電力の割合を計測監視する構成を有している。
【０００９】
また、本発明の請求項３の計測装置は、
コンプレッサで消費される電力を計測する電力計測手段と、コンプレッサから加えられるエアー圧力または流量を直流電圧または直流電流に変換するトランスデューサからの前記直流電圧または直流電流の値を用いて所定の演算を行う演算手段と、前記コンプレッサの電源ライン及びその他の電源ラインの幹線に接続された電力量計から出力されるパルスを検出し計数演算することで電力量を算出するパルス演算手段とを備え、前記電力計測手段の計測結果と前記パルス演算手段の演算結果から前記コンプレッサの消費電力の割合を計測監視する構成を有している。
【００１０】
また、本発明の請求項４の計測装置は、
空調機で消費される電力を計測する電力計測手段と、空調機の周囲、空調機の内部、室内及び外気の少なくとも一個所の温度を直流電圧または直流電流に変換するトランスデューサからの前記直流電圧または直流電流の値を用いて所定の演算を行う演算手段と、前記空調機の電源ライン及びその他の電源ラインの幹線に接続された電力量計から出力されるパルスを検出し計数演算することで電力量を算出するパルス演算手段とを備え、前記電力計測手段の計測結果と前記パルス演算手段の演算結果から前記空調機の消費電力の割合を計測監視する構成を有している。
【００１１】
また、本発明の請求項５の計測装置は、
空調機で消費される電力を計測する電力計測手段と、空調機の周囲、空調機の内部、室内及び外気の少なくとも一個所の湿度を直流電圧または直流電流に変換するトランスデューサからの前記直流電圧または直流電流の値を用いて所定の演算を行う演算手段と、前記空調機の電源ライン及びその他の電源ラインの幹線に接続された電力量計から出力されるパルスを検出し計数演算することで電力量を算出するパルス演算手段とを備え、前記電力計測手段の計測結果と前記パルス演算手段の演算結果から前記空調機の消費電力の割合を計測監視する構成を有している。
【００１２】
また、本発明の請求項６の計測装置は、
空調機で消費される電力を計測する電力計測手段と、空調機を設置した室内の複数個所の温度を直流電圧または直流電流に変換するトランスデューサからの前記直流電圧または直流電流の値を用いて所定の演算を行う演算手段と、前記空調機の電源ライン及びその他の電源ラインの幹線に接続された電力量計から出力されるパルスを検出し計数演算することで電力量を算出するパルス演算手段とを備え、前記電力計測手段の計測結果と前記パルス演算手段の演算結果から前記空調機の消費電力の割合を計測監視する構成を有している。
【００１３】
また、本発明の請求項７の計測装置は、
空調機で消費される電力を計測する電力計測手段と、空調機を設置した室内の複数個所の湿度を直流電圧または直流電流に変換するトランスデューサからの前記直流電圧または直流電流の値を用いて所定の演算を行う演算手段と、前記空調機の電源ライン及びその他の電源ラインの幹線に接続された電力量計から出力されるパルスを検出し計数演算することで電力量を算出するパルス演算手段とを備え、前記電力計測手段の計測結果と前記パルス演算手段の演算結果から前記空調機の消費電力の割合を計測監視する構成を有している。
【００１４】
また、本発明の請求項８の計測装置は、上記請求項１から７のいずれかの構成に加え、
演算手段における所定の演算が、入力値を乗算または除算する構成を有している。
【００１５】
また、本発明の請求項９の計測装置は、上記請求項１から８のいずれかの構成に加え、
演算手段における所定の演算が、入力値を換算表によって変換する構成を有している。
【００１６】
また、本発明の請求項１０の計測装置は、上記請求項１から９のいずれかの構成に加え、
電力計測手段で行う計測と演算手段で行う演算とを前記電力計測手段または演算手段で行う構成を有している。
【００１７】
【発明の実施の形態】
請求項１記載の計測装置は、電力計測手段により、トランスデューサが計測対象としている機器で消費される電力を計測することができる。
【００１８】
また、請求項２記載の計測装置は、電力計測手段により、ポンプで消費される電力を計測することができる。
【００１９】
また、請求項３記載の計測装置は、電力計測手段により、コンプレッサで消費される電力を計測することができる。
【００２０】
また、請求項４記載の計測装置は、電力計測手段により、空調機で消費される電力を計測することができる。
【００２１】
また、請求項５記載の計測装置は、電力計測手段により、空調機で消費される電力を計測することができる。
【００２２】
また、請求項６記載の計測装置は、電力計測手段により、空調機で消費される電力を計測することができる。
【００２３】
また、請求項７記載の計測装置は、電力計測手段により、空調機で消費される電力を計測することができる。
【００２４】
また、請求項８記載の計測装置は、演算手段における所定の演算が、入力値を乗算または除算することができる。
【００２５】
また、請求項９記載の計測装置は、演算手段における所定の演算が、入力値を換算表によって変換することができる。
【００２６】
また、請求項１０記載の計測装置は、電力計測手段で行う計測と演算手段で行う演算とを前記電力計測手段または演算手段で行うことができる。
【００２７】
以下、本発明の実施の形態について説明する。
【００２８】
（実施の形態１）
図１において、１は本発明の計測装置の計測対象機器となるコンプレッサー、２はコンプレッサー１の電源ライン、３は計測装置へ計測電圧を入力するための計器用変圧器であるＰＴ、４は計測装置へ計測電流を入力するための計器用変流器であるＣＴ、５はＰＴ３からの出力電圧とＣＴ４からの出力電流とから電力を計測する電力計測手段、６はコンプレッサー１から送出されるエアー配管、７はエアー配管６に取り付けられたエアー流量を計測するための流量トランスデューサにおける流量センサー、８は流量センサー７の出力をデータ記録機器等で読み取れるようにするためのトランスデューサとして標準的な４〜２０ｍＡ直流電流出力や０〜５Ｖ直流電圧出力等に変換して出力する直流信号変換手段、９は直流信号変換手段８からのアナログ直流出力をデジタル信号に変換するための演算手段、１０は電力計測手段５で計測された電力および演算手段９で演算された瞬時流量を積算して電力量および流量を求める積算手段、１１はコンプレッサー１の電源ライン２およびその他の電源ラインの幹線に接続されたパルス発信装置付電力量計、１２はパルス発信装置付電力量計１１から出力されるパルスを検出し計数演算するパルス演算手段、１３は電力計測手段５で計測された電力、演算手段９で演算された瞬時流量、積算手段１０で積算された電力量と流量、パルス演算手段１２で計数演算された電力量のデータを通信データとして出力する通信手段、１４は計測装置の通信手段１３と通信を行い計測データの収集、監視、各種データ処理を行う監視装置である。ここでＰＴ３とＣＴ４は計測装置に内蔵されていてもかまわない。
【００２９】
また、流量トランスデューサと計測装置とから計測システムを構成することができる。
【００３０】
以上のように構成された計測装置について、図１を用いてその動作を説明する。まず、コンプレッサー１の消費電力は、コンプレッサー１の電源ライン２に接続されたＰＴ３の電圧およびＣＴ４の電流により電力計測手段５で演算される。さらに積算手段１０により計測された電力が積算され電力量も求まる。
【００３１】
一方、コンプレッサー１から送出されるエアーの流量は、コンプレッサー１のエアー配管６に接続された流量トランスデューサの流量センサー７によりエアー流量が計測される。その出力をトランスデューサの標準的な出力インターフェースにするため直流信号変換手段８により４〜２０ｍＡ直流電流出力や０〜５Ｖ直流電圧出力等に変換して計測装置に入力し、計測装置の演算手段９で乗算または除算、入力値を換算表によって変換等で逆変換して元の流量を求めるための演算を行う。ここで、演算手段９では接続された流量トランスデューサにあったスケーリングを行い実測値として演算しても、スケーリングを行わずセンサーでの生データとして演算して上位の監視装置１２においてスケーリング演算してもどちらでもよい。
【００３２】
ここでなぜ直流信号変換手段８と演算手段９により無駄な変換と逆変換を行うのかということであるが、計測対象物にはいろいろな種類があり、また同じ種類でも計測しようとするといろいろな計測レンジを必要とする。流量センサー７から直接計測装置に入力すればロスがないようではあるが、このようにいろいろな種類の計測に対応しようとすると、計測装置にあらゆるものに対応できるインターフェースが必要となり、実際それは不可能であるからである。そこで標準的なトランスデューサのインターフェースにしておけば、ほとんどの計測に対応することができる。電力も同様にＰＴ３やＣＴ４を適切な計測レンジのものに変更すれば対応できる。
【００３３】
また、計測装置には積算手段１０があり電力量も求められるのにパルス発信装置付電力量計１１を接続する必要があるかということであるが、実際の計測する現場では幹線に既存のこういった電力量計がすでに設置されていることが多く、この既存の電力量データも一緒に管理したいという要望が多い。それにその幹線の容量に対するコンプレッサー１の消費電力の割合も計測監視できるので、設備の保守管理にも役立つ。
【００３４】
積算手段１０では、電力計測手段５で計測された電力と演算手段９で演算された瞬時流量を同様の方法で積算することにより電力量と積算流量を求めることができる。これは電力量と積算流量が１つの手段で求められるため有用であるだけでなく、精度の違いはあるが高価な積算値計量のトランスデューサを使用しなくとも安価な瞬時値計測のトランスデューサで積算値も計量でき、なおかつ瞬時値も計測できるということである。これは多数のポイントを計測する場合には大変有効であり、高価な積算値計量のトランスデューサを多数設置できる状況にないのが今日の実情である。多数のポイントを計測することにより、より詳細な状況が把握でき、効果的なエネルギー効率化の対策が行えるのである。一般に直流出力のトランスデューサは瞬時値の出力であり、パルス出力のトランスデューサは積算値の出力である。
【００３５】
このように電力入力、トランスデューサ用直流信号入力、パルス入力を備えることにより、エネルギー関連のほとんどの計測が可能となり、これが１台でできることにより、それぞれのデータに同時性があることで解析により有用なデータとなり、さらに通信で遠隔であっても監視装置１４により自動的に計測データの収集、監視、各種データ処理を行うことができる。
【００３６】
なお、直流入力におけるトランスデューサはポンプやコンプレッサにおける流量に限らずどんな計測をするものでもよく、パルス入力においても電力量に限らずどんな計量をするものでもよい。
【００３７】
なお、通信には有線、モデム、公衆回線、無線、インターネット、電力線、光ファイバー等あらゆる手段を利用してもよい。
【００３８】
なお、演算手段９における直流信号の演算を電力計測手段５で行ってもかまわない。
【００３９】
（実施の形態２）
図２において、１５は本発明の計測装置の計測対象機器となる空調機、１６は空調機１５の電源ライン、１７は本発明の計測装置、１８は電源ライン１５からＰＴやＣＴにより電圧、電流を入力する計測装置１７の電力入力、１９は部屋の窓、２０は空調機１５の内部である空調機電源や空調機制御部等に設置した温度センサー、２１は空調機１５の周辺に設置した温度センサー、２２は部屋中央部に設置した温度センサー、２３と２４は部屋のコーナーに設置した温度センサー、２５は窓１９周辺に設置した温度センサー、２６は屋外に設置した温度センサー、２７は部屋中央部に設置した湿度センサー、２８は屋外に設置した湿度センサーである。
【００４０】
ここで、計測装置１７および電力入力１８は実施の形態１と同様の構成であり、温度センサー２０から２６および湿度センサー２７と２８は出力がトランスデューサと同様の例えば０〜５Ｖであるものとしてトランスデューサと同様の扱いをするものとする。温度センサー２０から２６および湿度センサー２７と２８は全て計測装置１７へ入力されている。
【００４１】
また、トランスデューサと計測装置とから計測システムを構成することができる。
【００４２】
以上のように構成された計測装置について、図２を用いてその動作を説明する。計測装置１７の動作は実施の形態１と同様であるのでここでは省略する。例えば、状況設定として現在を夏とし、空調機１５は冷房運転しているとする。設定温度は２６℃とする。
【００４３】
温度センサー２０が正常温度よりかなり高い場合、空調機１５の異常が考えられ修理する必要があり、ロスを発見することもできる。
【００４４】
温度センサー２１が例えば空調機１５の上部である空気取り入れ口の付近に設置されているとし、温度が約３０℃ぐらい、空調機の電力消費がフル稼働状態、しかし空調の効きが悪い場合は空調機１５の設置場所が部屋の上部すぎて上部の温度の高い空気を取り入れすぎて冷房効率を悪くしていることが考えられる。
【００４５】
また、温度センサー２１が例えば空調機１５の前部付近に設置されていて、温度が設定温度の２６℃以上でありかつ室温が２６℃以上である場合は当然冷房機能に異常があるということがわかる。
【００４６】
窓１９から日光がさし込み、温度センサー２５が設定温度より高いようであれば直射日光による影響が考えられ、カーテンやブラインドをして直射日光を避けて電力消費の違いを見て効果を確認することができる。
【００４７】
温度センサー２２、２３、２４等の部屋のいろんなところの温度分布データを収集することにより部屋の冷房の効き方が把握でき、空調機の設置位置を変更したり、空調機の風向設定を変更したり、ソファーやテーブルといった人のいる位置を変更することで効率的な空調機１５の運用に役立てることができる。
【００４８】
温度センサー２６により外気温度を取り込むことで冷やし過ぎかどうかもわかり、室内と外気の温度があまり変わらず、湿度センサー２７と２８により室内の湿度が高い場合は除湿運転する等いろいろなポイントの温度や湿度と、電力のデータから空調機１５のエネルギー効率を把握することができる。空調機１５のエアーフィルターの清掃前、清掃後や、いろいろな設定変更や環境変化を加えたデータを収集し、比較することによりエネルギー削減の効果がわかる。
【００４９】
なお、これらのデータをもとに空調機１５と計測装置１７を通信等で連動させて省エネ制御を行ったり、これらを一体化してもよく、さらに窓１９のカーテンやブラインドを自動開閉制御してもよい。
【００５０】
【発明の効果】
以上のように本発明の請求項１記載の計測装置は、電力計測と直流出力のトランスデューサインターフェースを備えることにより、計測対象となる物理量を計測できると同時にトランスデューサが計測対象としている機器で消費される電力を計測することができ、計測対象の機器の動作効率と消費電力の解析が１台で行え、１台で行えるためにデータの同時性が実現でき、省スペース、省施工、省資源、低コスト、合理的に省エネルギー対策が効果的に行うことができるという優れた効果を奏する。
【００５１】
また、計測対象物にはいろいろな種類があり、また同じ種類でも計測しようとするといろいろな計測レンジを必要とするため、いろいろな種類の計測に対応しようとすると、計測装置にあらゆるものに対応できるインターフェースが必要となり、実際それは不可能であり、標準的なトランスデューサのインターフェースにしておくことで、ほとんどの計測に対応することができる。電力も同様にＰＴやＣＴを適切な計測レンジのものに変更すれば対応することができるという優れた効果を奏する。
【００５２】
また、積算手段１０では、電力計測手段５で計測された電力と演算手段９で演算された瞬時流量を同様の方法で積算することにより電力量と積算流量を求めることができる。これは電力量と積算流量が１つの手段で求められるため有用であるだけでなく、精度の違いはあるが高価な積算値計量のトランスデューサを使用しなくとも安価な瞬時値計測のトランスデューサで積算値も計量でき、なおかつ瞬時値も計測できるということである。これは多数のポイントを計測する場合には大変有効であり、高価な積算値計量のトランスデューサを多数設置できる状況にないのが今日の実情である。多数のポイントを計測することにより、より詳細な状況が把握でき、効果的なエネルギー効率化の対策が行えるという優れた効果を奏する。
【００５３】
また、本発明の請求項２記載の計測装置についても、請求項１と同様の効果のある優れた計測装置を実現できるものであり、ポンプの流量と消費電力のデータからポンプの使用状況、使用効率、異常、省エネ指針等を解析することができるという優れた効果を奏する。
【００５４】
また、本発明の請求項３記載の計測装置についても、請求項１と同様の効果のある優れた計測装置を実現できるものであり、コンプレッサーのエアー圧力または流量と消費電力のデータからコンプレッサーの使用状況、使用効率、異常、省エネ指針等を解析することができるという優れた効果を奏する。
【００５５】
また、本発明の請求項４記載の計測装置は、空調機の温度の計測と空調機本体の消費電力を計測することにより、空調機の異常やロスを発見することができ、設置状態、設定状態、運用でのロスや対策が可能となり、いろいろな設定変更や環境変化を加えたデータを収集し、比較することによりエネルギー削減の効果がわかるという優れた効果を奏する。
【００５６】
また、本発明の請求項５記載の計測装置は、空調機の湿度の計測と空調機本体の消費電力を計測することにより、湿度での快適性による効率的な運用が可能となり、空調機の異常やロスを発見することができ、設置状態、設定状態、運用でのロスや対策が可能となり、いろいろな設定変更や環境変化を加えたデータを収集し、比較することによりエネルギー削減の効果がわかるという優れた効果を奏する。
【００５７】
また、本発明の請求項６記載の計測装置についても、請求項４と同様の効果のある優れた計測装置を実現できるものであり、温度の計測ポイントが複数になることにより、さらにきめ細かな対策や運用が可能となるという優れた効果を奏する。
【００５８】
また、本発明の請求項７記載の計測装置についても、請求項５と同様の効果のある優れた計測装置を実現できるものであり、湿度の計測ポイントが複数になることにより、さらにきめ細かな対策や運用が可能となるという優れた効果を奏する。
【００５９】
また、本発明の請求項８記載の計測装置についても、請求項１から７のいずれかと同様の効果のある優れた計測装置を実現できるものであり、さらに演算手段における所定の演算が、入力値を乗算または除算することでスケーリングすることができるという優れた効果を奏する。
【００６０】
また、本発明の請求項９記載の計測装置についても、請求項１から８のいずれかと同様の効果のある優れた計測装置を実現できるものであり、さらに演算手段における所定の演算が、入力値を換算表によって変換することで処理負荷のかかる演算を行うことなく、また連続的でない変換でも行うことができるという優れた効果を奏する。
【００６１】
また、本発明の請求項１０記載の計測装置についても、請求項１から９のいずれかと同様の効果のある優れた計測装置を実現できるものであり、さらに電力計測手段で行う計測と演算手段で行う演算とを前記電力計測手段または演算手段で行うことで同様の処理を別の処理部で重複して行うことを削減することができ、構成要素を減らし共用することで、より低コストで実現することができるという優れた効果を奏する。
【図面の簡単な説明】
【図１】本発明の実施の形態１における計測装置のブロック図
【図２】本発明の実施の形態２における計測装置の説明図
【図３】従来の計測装置のブロック図
【符号の説明】
１    コンプレッサー
２、１６  電源ライン
３    ＰＴ
４    ＣＴ
５    電力計測手段
６    エアー配管
７    流量センサー
８    直流信号変換手段
９    演算手段
１０  積算手段
１１  パルス発信装置付電力量計
１２  パルス演算手段
１３  通信手段
１４  監視装置
１５  空調機
１７  計測装置
１８  電力入力
１９  窓
２０、２１、２２、２３、２４、２５、２６  温度センサー
２７、２８  湿度センサー
【図１】
0004981214.tif 000002
【図２】
0004981214.tif 000003
【図３】
0004981214.tif 000004